(57)【要約】【課題】複数の部品支持部材を取り付け可能な筐体を備える電気接続箱において、空間の利用効率を高めること。【解決手段】電気接続箱１は、筐体２と、２つの部品支持部材３，４と、連結部構造５，６Ａと、固定構造６Ｃ，６Ｄとを備える。２つの部品支持部材３，４は、電気部品３２，４２及びそれに対し電気的に接続された電線群３３，４３をその電線群３３，４３が底面３１１，４１１から延び出る状態で支持する。連結構造６Ｃ，６Ｄは、嵌め合わせ構造を有する２つの部品支持部材３１，４１各々の一部により構成され、２つの部品支持部材３１，４１を、それらの底面３１１，４１１各々が同一の配線空間７に対して異なる方向から対向する屈曲姿勢で連結する。固定部６Ｃ，６Ｄは、筐体２の一部と２つの部品支持部材３１，４１の一部とにより構成され、屈曲姿勢で連結された２つの部品支持部材３１，４１を、筐体２内に固定する。【選択図】図１
2012244799.tif 000002
【特許請求の範囲】
【請求項１】
筐体と、
電気部品及び該電気部品に対し電気的に接続された電線群を該電線群が底面から延び出る状態で支持する２つの部品支持部材と、
２つの前記部品支持部材各々の一部により構成され、２つの前記部品支持部材を、それらの底面各々が同一の空間に対して異なる方向から対向する第１の姿勢で連結する第１の連結部と、
前記筐体の一部と２つの前記部品支持部材の内の少なくとも一方の一部とにより構成され、前記第１の連結部により連結された２つの前記部品支持部材を、前記筐体内に固定する第１の固定部と、を備えることを特徴とする電気接続箱。
【請求項２】
２つの前記部品支持部材各々の一部により構成され、２つの前記部品支持部材を、それらの底面各々が並列して異なる空間に対向する第２の姿勢で連結する第２の連結部と、
前記筐体の一部と２つの前記部品支持部材のうちの少なくとも一方の一部とにより構成され、前記第２の連結部により連結された２つの前記部品支持部材を前記筐体内に固定する第２の固定部と、をさらに備える請求項１に記載の電気接続箱。
【請求項３】
前記第１の連結部は、
２つの前記部品支持部材のうちの一方に架設された棒状部と、
２つの前記部品支持部材のうちの他方において前記棒状部が嵌め込まれる中空部を形成し、２つの前記部品支持部材が前記第１の姿勢及び前記第２の姿勢のいずれの状態である場合でも前記中空部に嵌め込まれた前記棒状部を保持する棒保持部と、を含み、
前記第１の連結部における前記棒状部及び前記棒保持部は前記第２の連結部を兼ねる、請求項２に記載の電気接続箱。
【請求項４】
嵌め合わせ構造を有する前記第１の連結部を構成する２つの前記部品支持部材のうちの一方の一部と他方の一部とが異なる色を有する、請求項１に記載の電気接続箱。
【請求項５】
嵌め合わせ構造を有する前記第１の連結部を構成する２つの前記部品支持部材のうちの一方の一部と他方の一部とが異なる色を有し、
嵌め合わせ構造を有する前記第２の連結部を構成する２つの前記部品支持部材のうちの一方の一部と他方の一部とが異なる色を有する、請求項２又は請求項３に記載の電気接続箱。
【発明の詳細な説明】
【技術分野】
【０００１】
本発明は、電気接続箱に関する。
【背景技術】
【０００２】
特許文献１に示されるように、自動車などの車両に搭載される電気接続箱は、一般に、箱状又は枠状の筐体と、リレーなどの電気部品を支持する状態で筐体内に取り付けられる部品支持部材とを備える。特許文献１における部品支持部材は箱体である。
【０００３】
また、電気接続箱において、部品支持部材は、１つ又は複数の電気部品を、その電気部品に対し電気的に接続された電線群とともに支持する。より具体的には、部品支持部材は、１つ又は複数の電気部品を一の面（支持面）で支持し、電線群を電気部品の支持面に対し反対側の底面から延び出る状態で支持する。従って、部品支持部材の底面が対向する空間は、電線群が通る配線空間となる。
【０００４】
なお、電線群は、電気部品に対して直接接続されているか、或いは、部品支持部材に設けられた部品座を介して電気部品に対して電気的に接続されている。
【０００５】
また、電気接続箱において、複数の部品支持部材が、筐体内に取り付けられることもある。例えば、標準の電気部品を支持する標準部品支持部材と、オプションの電気部品を支持するオプション部品支持部材とが、１つの筐体内に取り付けられることがある。そのような場合、特許文献１に示されるように、複数の部品支持部材が、同じ姿勢で横並びの状態で筐体内に取り付けられる。
【先行技術文献】
【特許文献】
【０００６】
【特許文献１】特開２０００−２７８８４１号公報
【発明の概要】
【発明が解決しようとする課題】
【０００７】
しかしながら、従来の電気接続箱は、複数の部品支持部材が同じ姿勢で横並びの状態で筐体内に保持されるため、設置面積が大きい。さらに、従来の電気接続箱において、筐体が、オプション部品支持部材を取り付け可能に構成され、オプション部品支持部材がその筐体に取り付けられない場合、オプション部品支持部材の配置空間及びオプション部品の電線群用の配線空間の全体が、未利用の無駄な空間になる。このように、従来の電気接続箱は、空間の利用効率が悪いという問題点があった。
【０００８】
本発明は、複数の部品支持部材を取り付け可能な筐体を備える電気接続箱において、空間の利用効率を高めることを目的とする。
【課題を解決するための手段】
【０００９】
本発明に係る電気接続箱は、以下に示す各構成要素を備える。
（１）第１の構成要素は筐体である。
（２）第２の構成要素は、電気部品及びその電気部品に対し電気的に接続された電線群をその電線群が底面から延び出る状態で支持する２つの部品支持部材である。
（３）第３の構成要素は、２つの部品支持部材各々の一部により構成され、２つの前記部品支持部材を、それらの底面各々が同一の空間に対して異なる方向から対向する第１の姿勢で連結する第１の連結部である。
（４）第４の構成要素は、筐体の一部と２つの部品支持部材の内の少なくとも一方の一部とにより構成され、第１の連結部により連結された２つの部品支持部材を、筐体内に固定する第１の固定部である。
【００１０】
また、本発明に係る電気接続箱が、さらに以下の構成要素を備えることも考えられる。
（５）第５の構成要素は、２つの部品支持部材各々の一部により構成され、２つの部品支持部材を、それらの底面各々が並列して異なる空間に対向する第２の姿勢で連結する第２の連結部である。
（６）第６の構成要素は、筐体の一部と２つの部品支持部材のうちの少なくとも一方の一部とにより構成され、第２の連結部により連結された２つの部品支持部材を筐体内に固定する第２の固定部である。
【００１１】
また、本発明に係る電気接続箱において、第１の連結部が次に示す棒状部及び棒保持部を含むことが考えられる。棒状部は、２つの部品支持部材のうちの一方に架設された棒状の部分である。棒保持部は、２つの部品支持部材のうちの他方において棒状部が嵌め込まれる中空部を形成し、２つの部品支持部材が第１の姿勢及び第２の姿勢のいずれの状態である場合でも中空部に嵌め込まれた棒状部を保持する部分である。この場合、第１の連結部における棒状部及び棒保持部は第２の連結部を兼ねる。
【００１２】
また、本発明に係る電気接続箱において、嵌め合わせ構造を有する第１の連結部を構成する２つの部品支持部材のうちの一方の一部と他方の一部とが異なる色を有すれば好適である。同様に、本発明に係る電気接続箱が第２の連結部を備える場合、嵌め合わせ構造を有する第２の連結部を構成する２つの部品支持部材のうちの一方の一部と他方の一部とが異なる色を有すれば好適である。
【発明の効果】
【００１３】
本発明によれば、２つの部品支持部材は、それらの底面各々が同一の空間に対して異なる方向から対向する第１の姿勢で連結された状態で筐体内に固定される。即ち、一方の部品支持部材が横方向に沿う姿勢で保持される場合、他方の部品支持部材は縦方向に沿う姿勢で保持される。そのため、２つの部品支持部材各々の電線群は、それらに共通の配線空間を通る。さらに、本発明に係る電気接続箱は、２つの部品支持部材を異なる向きで保持するため、２つの部品支持部材が同じ姿勢で横並びで配置される従来の電気接続箱に比べ、設置面積が小さくなる。
【００１４】
また、本発明に係る電気接続箱は、２つの部品支持部材が第１の連結部により連結される構造を有する。そのため、２つの部品支持部材の一方が標準部品用、他方がオプション部品用である場合、本発明に係る電気接続箱は、標準部品用の部品支持部材のみを備える電気接続箱として使用されてもよい。以上に示したように、本発明によれば、電気接続箱において、電線群の配線空間を集約すること、及び要求仕様に応じて不要な部品を支持する部材を省くことが可能となり、その結果、空間の利用効率が高まる。
【００１５】
また、本発明に係る電気接続箱が、第２の連結部及び第２の固定部を備えれば、２つの部品支持部材を、それらの底面各々が並列して異なる空間に対向する第２の姿勢で連結された状態で筐体内に固定に固定することも可能となる。その結果、空間の利用効率が高まるとともに、空間利用の自由度が高まる。
【００１６】
例えば、第１の連結部が棒状部及び棒保持部を含み、それらが第２の連結部を兼ねれば、第１の連結部及び第２の連結部の構成が簡素化され好適である。
【００１７】
また、嵌め合わせ構造を有する第１の連結部を構成する２つの部品支持部材のうちの一方の一部と他方の一部とが異なる色を有すれば、第１の連結部における嵌め合わせの状態の目視確認が容易となり好適である。また、嵌め合わせ構造を有する第２の連結部を構成する２つの部品支持部材のうちの一方の一部と他方の一部とが異なる色を有する場合も同様である。
【図面の簡単な説明】
【００１８】
【図１】本発明の実施形態に係る電気接続箱１の斜視図である。
【図２】屈曲姿勢で連結された２つの部品支持部材を備える電気接続箱１の側面図である。
【図３】横並び姿勢で連結された２つの部品支持部材を備える電気接続箱１の側面図である。
【図４】電気接続箱１が備える第１嵌め合わせ構造の斜視図である。
【図５】電気接続箱１が備える第２嵌め合わせ構造の斜視図である。
【図６】電気接続箱１において２つの部品支持部材を屈曲姿勢で連結する連結構造の側面図である。
【図７】電気接続箱１において２つの部品支持部材を横並び姿勢で連結する連結構造の側面図である。
【発明を実施するための形態】
【００１９】
以下、添付の図面を参照しながら、本発明の実施形態について説明する。以下の実施形態は、本発明を具体化した一例であり、本発明の技術的範囲を限定する事例ではない。
【００２０】
＜実施形態＞
まず、図１から図３を参照しつつ、本発明の実施形態に係る電気接続箱１の概略構成について説明する。電気接続箱１は、自動車などの車両に搭載され、リレー又はヒューズなどの電気部品を支持及び収容する物である。
【００２１】
図１に示されるように、電気接続箱１は、筐体２及び２つの電気部品ユニット３，４を備えている。以下、２つの電気部品ユニット３，４の各々を第１電気部品ユニット３及び第２電気部品ユニット４と称する。電気接続箱１は、例えば、車両に搭載されるリレーボックス又はヒューズボックスなどである。なお、便宜上、図１から図３において、筐体２は仮想線（二点鎖線）で描かれている。
【００２２】
＜筐体＞
筐体２は、例えば、ポリアミド（ＰＡ）、ポリプロピレン（ＰＰ）、ポリブチレンテレフタレート（ＰＢＴ）又はＡＢＳ樹脂などの樹脂が成形された絶縁性の部材である。図１から図３に示される筐体２は、箱状に形成されているが、筐体２が、底部が形成されていない枠状であることも考えられる。
【００２３】
＜電気部品ユニット＞
第１電気部品ユニット３は、リレーなどの複数の電気部品３２及びそれら電気部品３２に対し電気的に接続された電線群３３と、それら電気部品３２及び電線群３３を支持する部品支持部材３１とを備える。同様に、第２電気部品ユニット４も、リレーなどの複数の電気部品４２及びそれら電気部品４２に対し電気的に接続された電線群４３と、それら電気部品４２及び電線群４３を支持する部品支持部材４１とを備える。
【００２４】
便宜上、第１電気部品ユニット３における部品支持部材３１、電気部品３２及び電線群３３のことをそれぞれ第１部品支持部材３１、第１電気部品３２及び第１電線群３３と称する。また、第２電気部品ユニット４における部品支持部材４１、電気部品４２及び電線群４３のことをそれぞれ第２部品支持部材４１、第２電気部品４２及び第２電線群４３と称する。
【００２５】
＜電気部品ユニット：部品支持部材＞
部品支持部材３１，４１は、例えば、ポリアミド（ＰＡ）、ポリプロピレン（ＰＰ）、ポリブチレンテレフタレート（ＰＢＴ）又はＡＢＳ樹脂などの樹脂が成形された絶縁性の部材である。図１に示される部品支持部材３１，４１は、箱状に形成されているが、部品支持部材３１，４１が板状であることも考えられる。
【００２６】
部品支持部材３１，４１は、それぞれ複数の電気部品３２，４２を一の面（支持面）で支持し、電気部品３２，４２を支持する面に対し反対側の底面３１１，４１１から延び出る状態で電線群３３，４３を支持する。従って、部品支持部材３１，４１各々の底面３１１，４１１が対向する空間は、電線群３３，４３が通る配線空間となる。
【００２７】
２つの電気部品ユニット３，４各々において、電線群３３，４３は、電気部品３２，４２に対して直接接続されているか、或いは、部品支持部材３１，４１に設けられた不図示の部品座を介して電気部品３２，４２に対して電気的に接続されている。なお、電線群３３，４３が電気部品３２，４２に対して直接接続されている場合、部品支持部材３１，４１は、電気部品３２，４２を介して電線群３３，４３を支持する。また、電線群３３，４３が部品座を介して電気部品３２，４２に対して電気的に接続されている場合、部品支持部材３１，４１は、部品座の部分において電線群３３，４３を支持する。
【００２８】
電気接続箱１において、２つの電気部品ユニット３，４は、それらの底面３１１，４１１各々が同一の配線空間７に対して異なる方向から対向する屈曲姿勢で連結される状態と、それらの底面３１１，４１１各々が並列して異なる配線空間７，８に対向する横並び姿勢で連結される状態とのいずれかで筐体２内に固定される。
【００２９】
図１及び図２は、２つの電気部品ユニット３，４が屈曲姿勢で連結され、その屈曲姿勢の状態で筐体２内に固定されたときの電気接続箱１を表している。一方、図３は、２つの電気部品ユニット３，４が横並び姿勢で連結され、その横並び姿勢の状態で筐体２内に固定されたときの電気接続箱１を表している。
【００３０】
また、電気接続箱１は、２つの電気部品ユニット３，４を連結するため、及び２つの電気部品ユニット３，４を筐体２に固定するために２種類の嵌め合わせ構造を備えている。以下、２種類の嵌め合わせ構造のうちの一方を第１嵌め合わせ構造５、他方を第２嵌め合わせ構造６と称する。
【００３１】
＜第１嵌め合わせ構造＞
図４は、電気接続箱１が備える第１嵌め合わせ構造５の斜視図である。なお、図４は、２つの部品支持部材３１，４１が図１及び図２に示される屈曲姿勢で連結される状態における第１嵌め合わせ構造５の斜視図である。
【００３２】
第１嵌め合わせ構造５は、２つの部品支持部材３１，４１のうちの一方の側面及び他方の側面に形成された被保持部５１と保持部５２とにより構成されている。以下、被保持部５１が第１部品支持部材３１の側面に形成され、保持部５２が第２部品支持部材４１の側面に形成された場合の例について説明する。なお、被保持部５１が第２部品支持部材４１の一部として形成され、保持部５２が第１部品支持部材３１の一部として形成されることも考えられる。
【００３３】
被保持部５１は、第１部品支持部材３１からその側面方向へ突出して形成された２つの支柱部５１１と、２つの支柱部５１１に架け渡された棒状部５１２とを有している。即ち、棒状部５１２は、第１部品支持部３１に架設された部分である。
【００３４】
一方、保持部５２は、第２部品支持部材４１の側面において棒状部５１２が嵌め込まれる中空部を形成する形状で形成されている。即ち、保持部５２は、棒状部５１２の導入路となる隙間を残して中空部を取り囲むように形成され、導入路（隙間）を通じて中空部に嵌め込まれた棒状部５１２を保持する部分である。保持部５２の導入路（隙間）の幅は、棒状部５１２の外径よりも小さく形成されており、保持部５２が、棒状部５１２が挿入される際に一時的に弾性変形することにより、保持部５２の導入路（隙間）の幅は、棒状部５１２が通過可能な程度に一時的に拡大する。なお、保持部５２は、棒保持部の一例である。
【００３５】
図４に示される例では、棒状部５１２は円柱状であり、保持部５２の内側面は、その断面が棒状部５１２の表面に沿う円弧状に形成された湾曲面である。これにより、第１嵌め合わせ構造５は、棒状部５１２が保持部５２の中空部に嵌め込まれた状態において、２つの部品支持部材３１，４１を回動可能に連結する。
【００３６】
図４に示されるように、保持部５２は、２つの部品支持部材３１，４１が図１及び図２に示される屈曲姿勢の状態である場合において、その中空部に嵌め込まれた棒状部５１２を保持する。さらに、後述するように、保持部５２は、２つの部品支持部材３１，４１が図３に示される横並び姿勢の状態である場合においても、その中空部に嵌め込まれた棒状部５１２を保持することが可能である。
【００３７】
第１嵌め合わせ構造５において、被保持部５１と保持部５２とが異なる色を有することが望ましい。例えば、２つの部品支持部材３１，４１の各々が異なる色の樹脂部材で形成されることが考えられる。また、２つの部品支持部材３１，４１のうちの少なくとも一方において、被保持部５１及び保持部５２の一方が、２色成形によって他の部分とは異なる色の樹脂部材で形成されることも考えられる。
【００３８】
＜第２嵌め合わせ構造＞
図１に示されるように、電気接続箱１は、構造が同じで用途が異なる複数種類の第２嵌め合わせ構造６を備えている。各図において、２つの部品支持部材３１，４１を屈曲姿勢で連結する用途の第２嵌め合わせ構造６は、第２嵌め合わせ構造６Ａと記載されている。また、２つの部品支持部材３１，４１を横並び姿勢で連結する用途の第２嵌め合わせ構造６は、第２嵌め合わせ構造６Ｂと記載されている。また、各図において、第１部品支持部材３１を筐体２内に固定する用途の第２嵌め合わせ構造６は、第２嵌め合わせ構造６Ｃと記載されている。また、第２部品支持部材４１を筐体２内に固定する用途の第２嵌め合わせ構造６は、第２嵌め合わせ構造６Ｄ，６Ｅと記載されている。
【００３９】
図５は、電気接続箱１が備える第２嵌め合わせ構造６の斜視図である。図５に示される第２嵌め合わせ構造６は、２つの部品支持部材３１，４１を屈曲姿勢で連結する用途の第２嵌め合わせ構造６Ａであるが、他の第２嵌め合わせ構造６Ｂ，６Ｃ，６Ｄ，６Ｅも同様の構造を備えている。また、便宜上、図５の斜視図は、図１の斜視図に対して上下の方向が反転した状態を表す。さらに、図５において、第２部品支持部材４１は仮想線（二点鎖線）により描かれている。
【００４０】
図５に示されるように、第２嵌め合わせ構造６は、２つの部材のうちの一方に形成された受け部６１と他方に形成された突起部６２とを含む。即ち、第２嵌め合わせ構造６Ａ，６Ｂは、２つの部品支持部材３１，４１のうちの一方に形成された受け部６１と他方に形成された突起部６２とを含む。また、第２嵌め合わせ構造６Ｃは、第１部品支持部材３１及び筐体２の一方に形成された受け部６１と他方に形成された突起部６２とを含む。また、第２嵌め合わせ構造６Ｄ，６Ｅは、第２部品支持部材４１及び筐体２の一方に形成された受け部６１と他方に形成された突起部６２とを含む。なお、第２嵌め合わせ構造６Ｄ及び第２嵌め合わせ構造６Ｅにおいて、第２部品支持部材４１側に形成された部分（受け部６１又は突起部６２）は両方において兼用される。
【００４１】
受け部６１は、対向して形成された２つの起立部６１１及び２つの起立部６１１に架け渡された架設部６１２を有する。２つの起立部６１１及び架設部６１２は、突起部６２が嵌め入れられる孔である嵌入孔６１３を形成している。また、架設部６１２には、突起部６２の一部と引っ掛かる孔である留め孔６１４が形成されている。
【００４２】
一方、突起部６２は、対応する受け部６１の嵌入孔６１３に嵌め入れられる部分である。突起部６２は、受け部６１に向かう方向へ起立した幹部６２１と、幹部６２１からその起立方向に対して交差する方向に突出する爪部６２２とが形成されている。突起部６２が受け部６１の嵌入孔６１３に嵌め入れられると、突起部６２の爪部６２２が、受け部６１の架設部６１２に形成された留め孔６１４に引っ掛かり、嵌入孔６１３からの突起部６２の抜けが妨げられる。即ち、受け部６１の留め孔６１４及び突起部６２の爪部６２２は、突起部６２が受け部６１の嵌入孔６１３から抜け出すことを妨げる抜け止め構造を構成している。
【００４３】
２つの部材の一方に設けられた受け部６１の嵌入孔６１３に、２つの部材の他方に設けられた突起部６２が嵌め入れられることにより、２つの部材は連結された状態で保持される。
【００４４】
第２嵌め合わせ構造６において、受け部６１と突起部６２とが異なる色を有することが望ましい。例えば、受け部６１が形成される部材及び突起部６２が形成される部材の各々が異なる色の樹脂部材で形成されることが考えられる。また、受け部６１又は突起部６２が形成される２つの部材のうちの少なくとも一方において、受け部６１及び突起部６２の一方が、２色成形によって他の部分とは異なる色の樹脂部材で形成されることも考えられる。
【００４５】
＜連結構造＞
次に、図６及び図７を参照しつつ、電気接続箱１において２つの部品支持部材３１，４１を連結する連結構造について説明する。図６は、２つの部品支持部材３１，４１を屈曲姿勢で連結する連結構造の側面図である。また、図７は、２つの部品支持部材３１，４１を横並び姿勢で連結する連結構造の側面図である。なお、図６及び図７において、２つの部品支持部材３１，４１が連結される前の状態における第２部品支持部材４１が仮想線（二点鎖線）により描かれている。
【００４６】
図６に示されるように、２つの部品支持部材３１，４１を屈曲姿勢で連結する第１の連結構造は、第１嵌め合わせ構造５と第２嵌め合わせ構造６Ａとにより構成されている。２つの部品支持部材３１，４１が、図１及び図２に示される屈曲姿勢で組み合わされると、第１嵌め合わせ構造５が、２つの部品支持部材３１，４１を連結し、第２嵌め合わせ構造６Ａが、２つの部品支持部材３１，４１を屈曲姿勢の状態で保持する。
【００４７】
一方、図７に示されるように、２つの部品支持部材３１，４１を横並び姿勢で連結する第２の連結構造は、第１嵌め合わせ構造５と第２嵌め合わせ構造６Ｂとにより構成されている。２つの部品支持部材３１，４１が、図３に示される横並び姿勢で組み合わされると、第１嵌め合わせ構造５が、２つの部品支持部材３１，４１を連結し、第２嵌め合わせ構造６Ｂが、２つの部品支持部材３１，４１を横並び姿勢の状態で保持する。
【００４８】
図６及び図７に示されるように、第１嵌め合わせ構造５において、保持部５２は、２つの部品支持部材３１，４１が屈曲姿勢及び横並び姿勢のいずれの状態である場合でもその中空部に嵌め込まれた棒状部５１２を保持する。即ち、屈曲姿勢に対応した第１の連結構造５，６Ａにおける第１嵌め合わせ構造５は、横並び姿勢に対応した第２の連結構造５，６Ｂを兼ねる。
【００４９】
＜固定構造＞
また、図１及び図２に示されるように、筐体２の一部と第１部品支持部材３１の一部とにより構成された第２嵌め合わせ構造６Ｃは、第１の連結構造５，６Ａにより屈曲姿勢で連結された２つの部品支持部材３１，４１を、筐体２内において屈曲姿勢のまま固定する固定構造を構成している。同様に、筐体２の一部と第２部品支持部材４１の一部とにより構成された第２嵌め合わせ構造６Ｄも、第１の連結構造５，６Ａにより屈曲姿勢で連結された２つの部品支持部材３１，４１を、筐体２内に屈曲姿勢のまま固定する固定構造を構成している。なお、固定構造６Ｃ，６Ｄは、第１の固定部の一例である。
【００５０】
また、図３に示されるように、筐体２の一部と第１部品支持部材３１の一部とにより構成された第２嵌め合わせ構造６Ｃは、第２の連結構造５，６Ｂにより横並び姿勢で連結された２つの部品支持部材３１，４１を、筐体２内に横並び姿勢のまま固定する固定構造としても機能する。また、筐体２の一部と第２部品支持部材４１の一部とにより構成された第２嵌め合わせ構造６Ｅは、第２の連結構造５，６Ｂにより横並び姿勢で連結された２つの部品支持部材３１，４１を、筐体２内に横並び姿勢のまま固定する固定構造を構成している。なお、固定構造６Ｃ，６Ｅは、第２の固定部の一例である。
【００５１】
＜効果＞
図１及び図２に示されるように、電気接続箱１は、２つの部品支持部材３１，４１を、それらの底面３１１，４１１各々が同一の配線空間７に対して異なる方向から対向する屈曲姿勢で連結された状態で筐体２内に固定することができる。この場合、第１部品支持部材３１が横方向に沿う姿勢で保持される状態において、第２部品支持部材４１は縦方向に沿う姿勢で保持される。そのため、２つの部品支持部材３１，４１各々の電線群３３，４３は、それらに共通の配線空間７を通る。さらに、電気接続箱１において、２つの部品支持部材３１，４１が屈曲姿勢で（異なる向きで）固定された場合、２つの部品支持部材３１，４１が横並び姿勢で配置される従来の電気接続箱に比べ、設置面積が小さくなる。
【００５２】
また、電気接続箱１は、２つの部品支持部材３１，４１が第１の連結構造５，６Ａ又は第２の連結構造５，６Ｂにより連結される構造を有する。そのため、２つの部品支持部材３１，４１の一方が標準部品用、他方がオプション部品用である場合、電気接続箱１は、第２電気部品ユニット４の組み付けが省略され、標準部品を含む第１電気部品ユニット３のみを備える電気接続箱として使用されてもよい。
【００５３】
以上に示したように、電気接続箱１が採用されることにより、電線群３３，４３の配線空間を集約すること、及び要求仕様に応じて不要な部品を支持する部材（第２支持部材４１）を省くことが可能となり、その結果、空間の利用効率が高まる。
【００５４】
また、電気接続箱１は、第２の連結構造５，６Ｂ及び固定構造６Ｃ，６Ｅを備えるため、２つの部品支持部材３１，４１を、それらの底面各々が並列して異なる空間に対向する横並び姿勢で連結された状態で筐体２内に固定に固定することも可能である。その結果、空間の利用効率が高まるとともに、空間利用の自由度が高まる。
【００５５】
また、電気接続箱１において、棒状部５１２及び保持部５２を含む第２嵌め合わせ構造５は、第１の連結構造５，６Ａと第２の連結構造５，６Ｂとを兼ねる。そのため、２つの部品支持部材３１，４１の連結構造が簡素化される点において好適である。
【００５６】
また、第１の連結構造５，６Ａを構成する第１嵌め合わせ構造５の被保持部５１と保持部５２とが異なる色を有すれば、第１の連結構造５，６Ａにおける嵌め合わせの状態の目視確認が容易となり好適である。第１の連結構造５，６Ａを構成する第２嵌め合わせ構造６Ａの受け部６１と突起部６２とが異なる色を有する場合も同様である。また、第２の連結構造５，６Ｂについても同様である。
【００５７】
＜その他＞
以上に示された電気接続箱１において、屈曲姿勢で連結された２つの部品支持部材３１，４１を筐体２内に固定する固定構造として、第２嵌め合わせ構造６Ｃ及び第２嵌め合わせ構造６Ｄのうちの一方のみが設けられることも考えられる。同様に、横並び姿勢で連結された２つの部品支持部材３１，４１を筐体２内に固定する固定構造として、第２嵌め合わせ構造６Ｃ及び第２嵌め合わせ構造６Ｅのうちの一方のみが設けられることも考えられる。
【００５８】
また、第１嵌め合わせ構造５において、棒状部５１２が正方形状もしくは正八角形状などの多角形状の断面を有する角柱状であり、保持部５２の内側面が、棒状部５１２の表面における複数の平坦面と密接する複数の平坦面が形成された屈曲面であることも考えられる。そのような第１嵌め合わせ構造５も、２つの部品支持部材３１，４１を屈曲姿勢及び横並び姿勢で連結することが可能である。
【００５９】
また、電気接続箱１において、第２嵌め合わせ構造６Ｄ，６Ｅは、２つの部品支持部材３１，４１を屈曲姿勢及び横並び姿勢の各々の状態で保持する機能を有している。そのため、２つの部品支持部材３１，４１の連結構造において、第２嵌め合わせ構造６Ａ，６Ｂが省略されることも考えられる。
【００６０】
また、２つの部品支持部材３１，４１の連結構造として、第１嵌め合わせ構造５に代えて、第２嵌め合わせ構造６のみが採用されることも考えられる。この場合、２つの部品支持部材３１，４１を屈曲姿勢及び横並び姿勢の各々で連結するための第２嵌め合わせ構造６において、少なくとも受け部６１は、屈曲姿勢での連結用と横並び姿勢での連結用とで個別に設けられる必要がある。
【００６１】
また、電気接続箱１が、２つの電気部品ユニット３，４に加え、さらに１つ以上の電気部品ユニットを備えることも考えられる。例えば、電気接続箱１が、第１電気部品ユニット３と第２電気部品ユニット４との組合せを２組以上備えることが考えられる。また、電気接続箱１が、１つの第１電気部品ユニット３と、これに連結された２つの第２電気部品ユニット４とを備えることも考えられる。
【符号の説明】
【００６２】
１  電気接続箱
２  筐体
３，４  電気部品ユニット
５  第１嵌め合わせ構造（第１の連結構造、第２の連結構造）
６  第２嵌め合わせ構造
６Ａ  第２嵌め合わせ構造（第１の連結構造）
６Ｂ  第２嵌め合わせ構造（第２の連結構造）
６Ｃ，６Ｄ，６Ｅ  第２嵌め合わせ構造（固定構造）
７，８  配線空間
３１，４１  部品支持部材
３２，４２  電気部品
３３，４３  電線群
５１  被保持部
５２  保持部
６１  受け部
６２  突起部
３１１，４１１  部品支持部材の底面
５１１  支柱部
５１２  棒状部
６１１  起立部
６１２  架設部
６１３  嵌入孔
６１４  留め孔
６２１  幹部
６２２  爪部
【図１】
2012244799.tif 000003
【図２】
2012244799.tif 000004
【図３】
2012244799.tif 000005
【図４】
2012244799.tif 000006
【図５】
2012244799.tif 000007
【図６】
2012244799.tif 000008
【図７】
2012244799.tif 000009